(57)【特許請求の範囲】
【請求項１】
住宅の浴室がバスタブと水回り設備物とを備えて構成され、前記バスタブの下方には、当該バスタブに対応する広さの防水パンが設けられ、
前記浴室は前記住宅のバルコニに連続し、
前記浴室の床面の前記バスタブ側の端部は前記防水パンの前記水回り設備物側の端部と上下方向に間隔をあけて重なり合い、これらの重なり合った空間に前記浴室内の湯水を前記バルコニ側に排出する排水溝が形成されることを特徴とする住宅の浴室構造。
【請求項２】
請求項１に記載の住宅の浴室構造において、
前記床面の前記バスタブ側の端部には、前記排水溝に通じる排水口が形成され、
前記排水溝は、前記バルコニの下部に設けられた配管に接続され、
前記配管は、前記住宅の外壁に設けられた縦配管に接続されていることを特徴とする住宅の浴室構造。
【請求項３】
請求項１又は請求項２に記載の住宅の浴室構造において、
前記浴室には前記バルコニに出入り可能なドアが設けられていることを特徴とする住宅の浴室構造。
【請求項４】
請求項１ないし請求項３のいずれかに記載の住宅の浴室構造において、
前記浴室の床面はフローリングで形成されていることを特徴とする住宅の浴室構造。
【請求項５】
請求項４に記載の住宅の浴室構造において、
前記フローリングは、軟質または半硬質の熱可塑性樹脂と、微粒子の木粉とを主材とする組成物で形成されていることを特徴とする住宅の浴室構造。
【請求項６】
請求項１ないし請求項５のいずれかに記載の住宅の浴室構造において、
前記水回り設備物は、洗面台および便器であることを特徴とする住宅の浴室構造。
【発明の詳細な説明】
【０００１】
【発明の属する技術分野】
本発明は、住宅の浴室構造に関する。
【０００２】
【背景技術】
従来、ほとんどの住宅には浴室が設けられており、その浴室には、バスタブが設置されることが多い。このような浴室では、バスタブの下方に、当該バスタブを含む浴室の床部全部に対応する防水パンを設ける浴室構造が知られている。
【０００３】
【発明が解決しようとする課題】
しかし、上記従来の浴室構造では、浴室の床部全部に対応する防水パンが必要となっているので、広い浴室を作ろうとすると、防水パンも面積の広いものが必要となる。そのため、広い防水パンを製作するための場所や設備が必要となるとともに、製作に多くの手間がかかる。また、防水パンの面積が広いので、取り扱いにくく、輸送や設置にも多くの人手がかかるという問題が生じている。
【０００４】
本発明の目的は、製作や設置が容易となり、所望の広さの浴室を容易に作れる住宅の浴室構造を提供することにある。
【０００５】
【課題を解決するための手段】
請求項１に記載の発明は、図面を参照して説明すると、図３，４に示すように、住宅の浴室１０がバスタブ１１と水回り設備物１２とを備えて構成され、前記バスタブ１１の下方には、当該バスタブ１１に対応する広さの防水パン２０が設けられ、前記浴室１０は前記住宅１のバルコニ６に連続し、前記床面１０Ａの前記バスタブ１１側の端部は前記防水パン２０前記水回り設備物１２，１３側の端部と上下方向に間隔をあけて重なり合い、これらの重なり合った空間に前記浴室１０内の湯水を前記バルコニ６側に排出する排水溝２０Ａが形成されることを特徴とする住宅の浴室構造である。
【０００６】
このような本発明では、防水パンがバスタブに対応する広さに形成されているので、製作や設置が容易となり、また、防水パンを浴室の広さに関わらず、バスタブに対応させればよいので、浴室を容易に所望の広さにすることができる。
また、このような本発明では、浴室内から、また、バスタブに入りながら、バルコニを通して外の景色を眺めることができるので、露天風呂の雰囲気を味わえ、リラックスした入浴時間を得ることができる。
そして、このような本発明では、排水溝をバルコニ側に向けて設ければよいので、住宅内に配管し遠い位置にある台所等の配管に接続する場合と比べて、短いものとすることができる。また、バルコニ側の配管と接続させればよく、住宅外部での接続作業となるので、配管作業が容易となる。
請求項２に記載の発明は、図３に示すように、請求項１に記載の住宅の浴室構造において、前記床面１０Ａの前記バスタブ１１側の端部には、前記排水溝２０Ａに通じる排水口が形成され、前記排水溝２０Ａは、前記バルコニ６の下部に設けられた配管３０に接続され、前記配管３０は、前記住宅１の外壁に設けられた縦配管３１に接続されていることを特徴とするものである。
【０００８】
請求項３に記載の発明は、図３に示すように、請求項２に記載の住宅の浴室構造において、前記浴室１０には前記バルコニ６に出入り可能なドア１６が設けられていることを特徴とするものである。
このような本発明では、ドアからバルコニに出入りすることができるので、入浴後等にバルコニに出てくつろぐこともでき、これにより、開放感が得られ、露天風呂の雰囲気を味わうことができる。
【０００９】
請求項４に記載の発明は、図３に示すように、請求項１ないし請求項３のいずれかに記載の住宅の浴室構造において、前記浴室１０の床面はフローリング１４で形成されていることを特徴とするものである。
このような本発明では、床面の排水性がよく、また、所定の大きさのものを順次敷き詰めていけば製作できるので、床面の製作が容易である。
【００１０】
請求項５に記載の発明は、図３に示すように、請求項４に記載の住宅の浴室構造において、前記フローリング１４は、軟質または半硬質の熱可塑性樹脂と、微粒子の木粉とを主材とする組成物で形成されていることを特徴とするものである。
このような本発明では、軟質または半硬質の熱可塑性樹脂と、微粒子の木粉とを主材とする組成物から構成することによって、浴室の床面に木の風合いによる暖かな感触が得られるようになり、使い心地が良好になる。また、耐水性に優れているので、浴室の床面の長寿命化を図ることができる。
【００１１】
以上の本発明において、軟質または半硬質の熱可塑性樹脂とは、塩化ビニル樹脂、ポリプロピレン樹脂、スチロール樹脂、アクリロニトリル−ブタジエン−スチレン共重合体樹脂（ＡＢＳ樹脂）、またはこれらの発泡体材料等をいい、特に、押し出し成形性に優れた塩化ビニル樹脂、あるいは射出成形性に優れたポリプロピレン樹脂が好適である。
【００１２】
請求項６に記載の発明は、図３に示すように、請求項１ないし請求項５のいずれかに記載の住宅の浴室構造において、前記水回り設備物は、洗面台１２および便器１３であることを特徴とするものである。このような本発明では、浴室内にバスタブの他に洗面台および便器が設けられているので、水回り設備物用の配管を１箇所にまとめやすく、配管作業が容易となる。
【００１５】
【発明の実施の形態】
以下に、本発明の一実施形態を図面に基づいて説明する。
図１には、二階建ての住宅１が示されている。この住宅１は、例えば、木質パネルを組合わせて構成される下階部２と、この下階部２の上に載置される上階部３と、この上階部３の上方に設けられる屋根部４とを備えて構成され、上階部３には、第１バルコニ５、第２バルコニ６および第３バルコニ７（図２参照）が設けられている。
【００１６】
図２に示すように、２階部第２バルコニ６には浴室１０が連続して設けられている。この浴室１０は、第１室３Ａと第２室３Ｂに挟まれており、これらの第１室３Ａ、第２室３Ｂの他に、上階部３には、例えば第３室３Ｃ、第４室３Ｄ、第５室３Ｅ、第６室３Ｆ等が設けられている。
また、上階部３と下階部２との間には、中２階部が設けられ、この中２階部は収納室３Ｇとなっている。
さらに、図３，４に示すように、浴室１０には、部屋の一方側にバスタブ１１が設けられ、所定の間隔をあけて他方側に水回り設備物である洗面台１２と便器１３とが設けられている。
【００１７】
このような浴室１０の床部１０Ａの仕上げ部材はフローリング１４で形成されている。このフローリング１４は、射出成形で形成された木目模様を有する樹脂成形品であり、重合度１０００程度で有色顔料が含まれたポリプロピレン樹脂等の射出成形性に優れた熱可塑性樹脂と微粒子の木粉とを主材にした組成物から構成され、この組成物中には、少量の酸化チタンおよび無機系抗菌剤等の抗菌剤が含有されている。また、フローリング１４は、床基礎部２７の上に床面材２８を介して設けられている。
【００１８】
浴室１０には、第１のドア１５が設けられ、ドア１５を開けることで前記第３室３Ｃに出入りでき、また、第２バルコニ６側には第２のドア１６が設けられ、ドア１６を開けることで第２バルコニ６に出入りできるようになっている。
さらに、浴室１０においてバスタブ１１の第２バルコニ６側には、第１開閉窓１７が設けられ、便器１３側には、第２開閉窓１８が設けられている。これらの第１開閉窓１７および第２開閉窓１８は、例えば腰の高さより高い位置に設けられている。
このような浴室１０の床部１０Ａと、第２バルコニ６のデッキ部６Ａとはほぼ同じ高さとなっている。また、第２バルコニ６のデッキ部６Ａも、前記熱可塑性樹脂と微粒子の木粉とを主材にした組成物で形成されている。
【００１９】
図４に示すように、バスタブ１１の下方には、所定の大きさの防水パン２０が、支持部材２１や図示しない他の受部材で支持されて設けられている。この防水パン２０の大きさはバスタブ１１に対応しており、バスタブ１１の平面の広さより所定寸法だけ大きく形成され、バスタブ１１からの排水等を受けるようになっている。この防水パン２０における前記洗面台１２側の端部と、浴室１０の床部１０Ａのバスタブ１１側の端部とは、上下方向に間隔をあけて重なり合っており、この重なり合った空間に、浴室１０内の湯水を排出する排水溝２０Ａが形成されている。
【００２０】
排水溝２０Ａは、防水パン２０底部の水平部に形成された立上がり部２０Ｂと、立上がり部２０Ｂから洗面台１２側に延びた底部２０Ｃと、この底部２０Ｃの端部上に立設された側面部材２２と、この側面部材２２と対向して設けられたエプロン２５を含んで構成され、図３に示すように、第１のドア１５側からバスタブ１１の長手方向に沿って浴室１０の第２バルコニ６との境界まで延びて設けられている。なお、側面部材２２およびエプロン２５は、前記熱可塑性樹脂と微粒子の木粉とを主材にした組成物で形成されている。また、前記バスタブ１１の一部がエプロン２５の上端部に載置されている。そして、バスタブ１１の排水口１１Ａ（図３参照）からの排水は、図示しない排水パイプを、立上がり部２０Ｂを乗り越えて排水溝２０Ａに接続するように設け、その排水パイプから排出させて行われるようになっている。
【００２１】
排水溝２０Ａの上方には排水溝２０Ａを塞ぐ排水点検用蓋２３が設けられ、この排水点検用蓋２３をあけることで排水溝２０Ａのメンテナンス等が行えるようになっている。排水点検用蓋２３は、バスタブ１１を載置するエプロン２５の側面下部との間に所定の隙間Ｃをあけて設けられ、この隙間Ｃが浴室１０の床部１０Ａの湯水等を排水溝２０Ａに排出する排出口となっている。
【００２２】
浴室１０の排水溝２０Ａは、図３に示すように、第２バルコニ６の下部に排水溝２０Ａと交差する方向に延びて設けられた配管３０に接続され、この配管３０は、住宅の外壁に沿って設けられた縦配管３１に接続されている。
浴室１０の床部１０Ａは、矢印Ａで示すように、洗面台１２側からバスタブ１１側に向かって下り勾配となる水勾配がつけられている。また排水溝には、矢印Ｂで示すように、第１のドア１５側から第２バルコニ６側に向かって下り勾配となる水勾配がつけられている。
【００２３】
なお、図１に示すように、屋根部４において浴室１０の上方位置には、トップライト３５が設けられており、そこからも浴室１０への採光が得られるようになっている。
【００２４】
このような実施形態によれば、次のような効果がある。
(1) 浴室１０の広さに関係なく、防水パン２０がバスタブ１１に対応する広さに形成されているので、防水パン２０を小型化することができ、その結果、製作や設置等が容易となる。
【００２５】
(2) 浴室１０は、第２バルコニ６に連続しているので、浴室１０から、また、バスタブ１１に入りながら、バルコニ６を通して外の景色を眺めることができ、露天風呂の雰囲気を味わえ、これにより、リラックスした入浴時間を得ることができる。
(3) 浴室１０にはバルコニ６に出入り可能なドア１６が設けられており、ドア１６からバルコニ６に出入りすることができ、入浴後等にバルコニ６に出てくつろぐことができ、これにより、開放感が得られ、露天風呂の雰囲気を味わうことができる。
【００２６】
(4) 浴室１０の床面を構成するフローリング１４、バスタブ１１を載せるエプロン２５は、熱可塑性樹脂と微粒子の木粉とを主材にした組成物で形成されているので、充分な耐水性を有するとともに、浴室の床面およびエプロン２５に木の風合いによる暖かな感触が得られるようになり、使い心地が良好になる。
(5) バルコニ６のデッキ６Ａは、熱可塑性樹脂と微粒子の木粉とを主材にした組成物で形成されているので、充分な耐水性を有するとともに、デッキ６Ａに木の風合いによる暖かな感触が得られるようになり、使い心地が良好になる。また、風雨による劣化も少なく、長期間にわたって新品同様の使い心地を維持することができる。
【００２７】
(6) 浴室１０の第２バルコニ６側には、第１、第２の開閉窓１７，１８が設けられているので、例えば夏の暑い夜等、それらの開閉窓１７，１８を開けて入浴することができ、開放感が得られ、露天風呂の雰囲気を味わうことができるとともに、開閉窓１７，１８が設けられているので、浴室１０内の換気を行う際、開閉窓１７，１８を開ければ外気を取り込むことができ、換気を容易に行うことができる。
【００２８】
(7) 浴室１０の排水溝２０Ａは、第２バルコニ６の下部に排水溝２０Ａと交差する方向に延びて設けられた配管３０に接続され、この配管３０は、住宅の外壁に沿って設けられた縦配管３１に接続されており、浴室１０から最短距離で排出されるので、配管を短いものとすることができ、また、長い排出溝で生じるゴミ等の詰まり等の問題が少なく、これにより、スムーズな排出が可能となる。さらに、排水溝２０Ａをバルコニ６側の配管３０と接続させればよく、外部での接続作業となるので、配管作業が容易となる。
【００２９】
(8) 浴室１０内には、バスタブ１１の他に、洗面台１２および便器１３が設けられているので、これらの設備の配管を１箇所にまとめやすく、配管作業が容易となる。
(9) 浴室１０の上方位置には、トップライト３５が設けられ、そこからも浴室１０への採光が得られるので、明るい浴室となるとともに、夜には、風呂に入りながら星空を眺めることもでき、よりリラックスすることができる。
【００３０】
なお、本発明は前記実施形態に限定されるものではなく、本発明の目的を達成できるものであれば、次のような変形形態でもよいものである。
例えば、前記実施形態では、本発明の住宅の浴室構造が適用される住宅１を、木質パネルを組合わせることにより建てられる住宅としたが、予め工場で生産された軸組構造の建物ユニットを、現場で複数個、組合わせることによって建てられるユニット式建物に適用してもよい。
【００３１】
また、前記実施形態では、浴室１０の床面１０Ａに、床仕上げ材としてのフローリング１４を、熱可塑性樹脂と微粒子の木粉とを主材にした組成物で形成したが、これに限らず、床仕上げ材としてタイル等を使用してもよい。
【００３２】
さらに、前記実施形態では、浴室１０の第２バルコニ６側に第１、第２の開閉窓１７，１８を設けたが、窓は開閉窓でなくてもよい。例えば、上げ下げ窓、引倒し窓あるいは引違い窓等、どのような形式の窓であってもよい。
【００３３】
【発明の効果】
以上に説明したように、請求項１の発明によれば、防水パンがバスタブに対応する広さに形成されているので、製作や設置が容易となり、また、防水パンを浴室の広さに関わらず、バスタブに対応させればよいので、浴室を容易に所望の広さにすることができる。
また、請求項１の発明によれば、浴室は住宅のバルコニに連続しているので、浴室内から、また、バスタブに入りながら、バルコニを通して外の景色を眺めることができ、これにより、露天風呂の雰囲気を味わえ、リラックスした入浴時間を得ることができる。
そして、請求項１の発明によれば、排水溝をバルコニ側に向けて設ければよいので、住宅内に配管し遠い位置にある台所等の配管に接続する場合と比べて、短いものとすることができる。また、バルコニ側の配管と接続させればよく、住宅外部での接続作業となるので、配管作業が容易となる。
【００３５】
請求項３の発明によれば、浴室にはバルコニに出入り可能なドアが設けられているので、ドアからバルコニに出入りすることができる。従って、入浴後等にバルコニに出てくつろぐこともでき、これにより、開放感が得られ、露天風呂の雰囲気を味わうことができる。
【００３６】
請求項４の発明によれば、浴室の床面はフローリングで形成されているので、床面の排水性がよく、また、所定の大きさのものを順次敷き詰めていけば製作できるので、床面の製作が容易である。
【００３７】
請求項５の発明によれば、フローリングは、軟質または半硬質の熱可塑性樹脂と、微粒子の木粉とを主材とする組成物から構成することによって、直接肌が腰掛け部に触れても木の風合いによる暖かな感触が得られるようになり、使い心地が良好になる。また、耐水性に優れているので、浴室の床面の長寿命化を図ることができる。
【００３８】
請求項６の発明によれば、水回り設備物は、洗面台および便器で構成されているので、バスタブとともに、洗面台および便器用の配管を１箇所にまとめやすく、配管作業が容易となる。
【図面の簡単な説明】
【図１】本発明の一実施形態に係る住宅を示す全体斜視図である。
【図２】前記実施形態の住宅における上階部の間取りを示す平面図である。
【図３】前記実施形態の浴室とバルコニとを示す平面図である。
【図４】図３におけるIVーIV線に沿った縦断面図である。
【符号の説明】
１    住宅
６    第２バルコニ
１１    バスタブ
１２    水回り設備を構成する洗面台
１３    水回り設備を構成する便器
１６    第２のドア
１７    第１開閉窓
１８    第２開閉窓
２０    防水パン
２０Ａ  排水溝
Ｃ    排水口を構成する隙間
【図１】
0004810026.tif 000002
【図２】
0004810026.tif 000003
【図３】
0004810026.tif 000004
【図４】
0004810026.tif 000005